【手続補正書】
【提出日】令和3年9月30日(2021.9.30)
【手続補正１】
【補正対象書類名】特許請求の範囲
【補正対象項目名】全文
【補正方法】変更
【補正の内容】
【特許請求の範囲】
【請求項１】
飲料容器の蓋であって、
容器本体に選択的に結合される寸法及び形状である容器頂部であって、容器頂部の壁から上方へ延在すると共に蓋開口部を画定する注ぎ口を含む、容器頂部と、
前記容器頂部に連結され、前記注ぎ口の蓋開口部が閉止している閉止閉鎖部位置と、前記注ぎ口の蓋開口部が開放している開放閉鎖部位置との間を移動可能である閉鎖部と、を備え、
前記閉鎖部が押しボタンを備え、前記押しボタンは、前記閉鎖部が前記閉止閉鎖部位置にあるときに前記容器頂部に選択的に係合するように構成されているラッチを含むと共に、前記ラッチが前記容器頂部と係合可能である第１の押しボタン位置と、前記ラッチが前記容器頂部から係合解除される第２の押しボタン位置との間を移動可能であり、
前記閉鎖部がロックを備え、前記ロックは、ロック位置とロック解除位置との間を移動可能であると共に、前記押しボタンが第１の押しボタン位置から第２の押しボタン位置へ移動することを選択的に阻止するように構成されており、
前記閉鎖部の本体が押しボタン用凹部を画定し、前記押しボタンは、実質的に前記押しボタン用凹部内に配設され、前記閉鎖部の本体によって実質的に包囲されている、飲料容器の蓋。
【請求項２】
前記閉鎖部の本体が、前記押しボタン用凹部を少なくとも部分的に画定する上壁及び下壁を含み、前記押しボタンが、実質的に前記閉鎖部の本体の上壁と下壁との間に配設される、請求項１に記載の飲料容器の蓋。
【請求項３】
前記閉鎖部が、前記押しボタンを前記第１の押しボタン位置に向けて付勢し、前記第２の押しボタン位置への前記押しボタンの移動に応答して弾性的に変形するように構成されている付勢部材を更に備える、請求項１又は２に記載の飲料容器の蓋。
【請求項４】
前記押しボタンが押し領域を備え、前記押し領域、前記付勢部材、及び前記ラッチは、前記ラッチが、前記押し領域と前記付勢部材との間に、前記押しボタンが前記第１の押しボタン位置から前記第２の押しボタン位置へと移動する方向で位置付けられている状態で配置される、請求項３に記載の飲料容器の蓋。
【請求項５】
前記付勢部材が、前記押しボタンの後向き面に接して位置付けられている第１の端部と、前記閉鎖部の本体の前向き面に接して位置付けられている、反対側の第２の端部と、を有する付勢ばねを備え、
前記付勢ばねが、前記押しボタンの後向き面と前記閉鎖部の本体の前向き面との間に延在し、
前記付勢ばねが、前記第１の押しボタン位置から前記第２の押しボタン位置への前記押しボタンの移動に応答して、前記押しボタンの後向き面と前記閉鎖部の本体の前向き面との間で圧縮するように構成されている、請求項３又は４に記載の飲料容器の蓋。
【請求項６】
前記閉鎖部が、蓋開口部シールと、前記付勢部材と、を一体的に備える弾性部材を更に備え、前記付勢部材が、前記押しボタンを前記第１の押しボタン位置に向けて付勢し、前記第２の押しボタン位置への前記押しボタンの移動に応答して弾性的に変形するように構成されており、前記蓋開口部シールが、前記蓋開口部を選択的に封止するように構成されている、請求項３〜５のいずれか一項に記載の飲料容器の蓋。
【請求項７】
前記付勢部材が、舌端部と、前記舌端部を前記蓋開口部シールに連結する舌首部と、を含み、前記舌首部が、少なくとも部分的に前記舌端部を前記蓋開口部シールから機械的に分離する１つ以上の畝を備える、請求項６に記載の飲料容器の蓋。
【請求項８】
前記付勢部材が、前記押しボタンの後向き面と前記押しボタン用凹部の前向き面との間に位置付けられている舌端部を含み、前記舌端部が、前記第１の押しボタン位置から前記第２の押しボタン位置への前記押しボタンの移動に応答して前記２つの面の間で圧縮し、前記第２の押しボタン位置から前記第１の押しボタン位置への前記押しボタンの移動に応答して弾性的に伸張するように構成されている、請求項３〜７のいずれか一項に記載の飲料容器の蓋。
【請求項９】
前記押しボタンが、本体と、その本体の少なくとも一部に沿って前部から後部まで延在するチャネル又はレールのうちの少なくとも１つと、を含み、
前記閉鎖部の本体が、前記押しボタンのチャネル又はレールに対して相補的である、前記押しボタン用凹部内のレール又はチャネルのうちの少なくとも１つを含み、
前記閉鎖部の本体のレール又はチャネルが、前記押しボタンのチャネル又はレールに係合して、前記閉鎖部の本体に対する前記押しボタンの垂直移動を阻止する、請求項１〜８のいずれか一項に記載の飲料容器の蓋。
【請求項１０】
前記ロック位置にあるロックが、前記第１の押しボタン位置から前記第２の押しボタン位置への前記押しボタンの移動を阻止するように構成されており、
前記ロック解除位置にあるロックが、前記第１の押しボタン位置と前記第２の押しボタン位置との間での前記押しボタンの移動を可能にするように構成されている、請求項１〜９のいずれか一項に記載の飲料容器の蓋。
【請求項１１】
前記押しボタンが、前記第１の押しボタン位置と前記第２の押しボタン位置との間の係合距離を移動し、
前記閉鎖部の本体が、前記閉鎖部の本体の押しボタン用凹部上壁の底面にロック用凹部を画定し、前記ロック用凹部が、前記ロックの支点を形成する後方端部を有し、
前記押しボタンが、前記押しボタンの上面にロック用空洞を画定し、
前記ロック用空洞が、前記ロック用空洞の第１の部分にある第１の止め具と、前記ロック用空洞の第２の部分にある第２の止め具と、を含み、前記第２の止め具は前記第１の止め具の前方にあり、
前記ロックが、当接部を備え、
前記押しボタンが前記第１の押しボタン位置にあり、かつ前記ロックが前記ロック位置にあるとき、前記当接部が、前記押しボタンのロック用空洞の第１の止め具に面して位置付けられ、前記第１の止め具から係合距離よりも短い距離だけ離間しており、
前記押しボタンが前記第１の押しボタン位置にあり、かつ前記ロックが前記ロック解除位置にあるとき、前記当接部が、前記ロック用空洞の第２の止め具に面して位置付けられ、前記第２の止め具から係合距離以上の距離だけ離間している、請求項１〜１０のいずれか一項に記載の飲料容器の蓋。
【請求項１２】
前記押しボタンのロック用空洞の底面が、前記第１の止め具の後方にある第１の受容部と、前記第２の止め具の後方にある第２の受容部と、を含み、
前記ロックが、前記ロックが前記ロック位置にあるときに前記第１の受容部に受容され、前記ロックが前記ロック解除位置にあるときに前記第２の受容部に受容されるように位置付けられている突起部を更に備える、請求項１１に記載の飲料容器の蓋。
【請求項１３】
前記閉鎖部の本体が、ロックスイッチチャネルを含み、
前記ロックが、前記ロックスイッチチャネルを通って延在して、前記ロックへのアクセスを提供するロックスイッチを更に備える、請求項１〜１２のいずれか一項に記載の飲料容器の蓋。
【請求項１４】
前記ラッチが、前記容器頂部の注ぎ口に形成されたラッチ止めに選択的に係合するように構成されている、請求項１〜１２のいずれか一項に記載の飲料容器の蓋。
【請求項１５】
飲料容器の蓋であって、
蓋開口部を有する容器頂部と、
前記容器頂部に連結され、前記蓋開口部が開放している開放閉鎖部位置と、前記蓋開口部が閉止している閉止閉鎖部位置との間を移動可能である閉鎖部と、
前記閉鎖部に移動可能に連結され、前記容器頂部に選択的に係合して、前記閉鎖部を前記閉止閉鎖部位置に選択的に保持するように構成されている押しボタンであって、保持タブを備え、前記保持タブは前記閉鎖部に係合して、前記閉鎖部との係合を越えての前記保持タブの前方移動を阻止する、押しボタンと、を備え、
前記押しボタンは、前記閉鎖部に向けて前記保持タブを付勢し、前記閉鎖部から前記保持タブを選択的に係合解除して、前記押しボタンが前記閉鎖部から分離され得るように弾性的に変形可能である弾性部分を備える、飲料容器の蓋。
【請求項１６】
前記保持タブが、前記閉鎖部の後向き面に係合して、前記後向き面を越えての前記保持タブの前方移動を阻止する、請求項１５に記載の飲料容器の蓋。
【請求項１７】
前記弾性部分が、前記保持タブを保持するアームを備え、
押しボタン用凹部側壁に穴が形成され、
前記押しボタンの前記アームが、前記押しボタン用凹部側壁内に形成された前記穴の中へと延在し、
前記保持タブが、前記押しボタン用凹部側壁に係合して、後向き面を越えての前記保持タブの前方移動を阻止する、請求項１５又は１６に記載の飲料容器の蓋。
【請求項１８】
前記保持タブへの取り外し力の印加に応答して、前記アームが弾性的に変形して、前記保持タブと前記押しボタン用凹部側壁に形成された前記穴との位置合わせを可能にし、前記閉鎖部の押しボタン用凹部からの前記押しボタンの取り外しを可能にする、請求項１７に記載の飲料容器の蓋。
【請求項１９】
飲料容器の蓋であって、
蓋開口部を有する容器頂部と、
前記容器頂部に連結され、前記蓋開口部が開放している開放閉鎖部位置と、前記蓋開口部が閉止している閉止閉鎖部位置との間を移動可能である閉鎖部と、
前記閉鎖部に移動可能に連結され、前記容器頂部に選択的に係合して、前記閉鎖部を前記閉止閉鎖部位置に選択的に保持するように構成されている押しボタンと、
蓋開口部シール及び付勢部材の両方を備える弾性部材であって、前記蓋開口部シールは、前記蓋開口部と前記閉鎖部との間にシールを形成するように構成されており、前記付勢部材は、前記押しボタンが前記容器頂部に係合する第１の押しボタン位置に向けて前記押しボタンを付勢し、前記付勢部材は、前記押しボタンが前記容器頂部から係合解除される第２の押しボタン位置への前記押しボタンの移動に応答して弾性的に変形する、弾性部材と、を備える、飲料容器の蓋。
【請求項２０】
前記弾性部材が、前記蓋開口部シールと前記付勢部材とを接合する舌部を備える、請求項１９に記載の飲料容器の蓋。
【請求項２１】
前記付勢部材が舌部を備え、前記舌部が、前記押しボタンが前記容器頂部に係合する第１の押しボタン位置に向けて前記押しボタンを付勢し、前記舌部が、前記押しボタンが前記容器頂部から係合解除される第２の押しボタン位置への前記押しボタンの移動に応答して弾性的に変形する、請求項１９に記載の飲料容器の蓋。
【請求項２２】
前記舌部が、舌端部と、前記舌端部を前記蓋開口部シールに連結する舌首部と、を含み、
前記第１の押しボタン位置から前記第２の押しボタン位置への前記押しボタンの移動が、前記押しボタンと前記閉鎖部との間で前記舌端部を圧縮するように構成されている、又は
前記第１の押しボタン位置から前記第２の押しボタン位置への前記押しボタンの移動が、前記舌首部を伸張するように構成されている、のうちの少なくとも１つである、請求項２０又は２１に記載の飲料容器の蓋。
【請求項２３】
前記閉鎖部に連結されている蓋開口部シールを更に備え、前記蓋開口部シールが、第１の外周フランジと、前記第１の外周フランジの上方に位置付けられている第２の外周フランジと、を含み、
前記容器頂部が、前記蓋開口部を画定する注ぎ口を備え、前記蓋開口部が、前記蓋開口部の高さに沿って可変径を有し、前記蓋開口部が、中間高さにおいて第１の直径を有し、前記可変径が、前記蓋開口部の少なくとも上部に対して、前記中間高さから上方に移動しながら増大し、前記可変径が、前記蓋開口部の少なくとも下部に対して、前記中間高さから下方に移動しながら増大し、
前記閉鎖部が前記閉止閉鎖部位置に位置付けられるとき、前記蓋開口部シールが、前記注ぎ口の蓋開口部内に位置付けられ、前記蓋開口部シールの第１の外周フランジが、前記中間高さの下方に位置付けられ、前記第２の外周フランジが、前記中間高さの上方に位置付けられる、請求項１９〜２２のいずれか一項に記載の飲料容器の蓋。
【手続補正２】
【補正対象書類名】明細書
【補正対象項目名】発明の名称
【補正方法】変更
【補正の内容】
【発明の名称】飲料容器の蓋